(57)【要約】【課題】手術用ガーゼを使用する際の取り扱い性の向上を図ることができ、且つ小型化が可能で衛生的な手術用ガーゼ集合体及び手術用ガーゼ供給装置を提供することを課題とする。【解決手段】手術用ガーゼ集合体１０は、各手術用ガーゼ１が、連結用糸２により一方向に連結されている。また、手術用ガーゼ供給装置２０は、手術用ガーゼ集合体１０が収容されるケーシング３と、ケーシング３に形成され、ケーシング３から各手術用ガーゼ１を取り出すための取出口６と、取出口６からの手術用ガーゼ１の出入に対して抵抗を付与する抵抗付与部６ａと、取出口６から所定距離隔てた位置で手術用ガーゼ１の引き出しを規制し得るよう構成されたガーゼストッパー４とを備えたことを特徴とする。【選択図】図２
2009083855.tif 000002
【特許請求の範囲】
【請求項１】
複数の手術用ガーゼの集合体であって、
前記各手術用ガーゼは、連結用糸により一方向に連結されていることを特徴とする手術用ガーゼ集合体。
【請求項２】
前記各手術用ガーゼは、四角形であって、
前記連結用糸は、前記各手術用ガーゼの対角線上の頂点からそれぞれ延び、隣り合う前記手術用ガーゼを連結していることを特徴とする請求項１に記載の手術用ガーゼ集合体。
【請求項３】
請求項１又は２に記載の手術用ガーゼ集合体が収容されるケーシングと、
前記ケーシングに形成され、前記ケーシングから前記各手術用ガーゼを取り出すための取出口と、
前記取出口からの前記手術用ガーゼの出入に対して抵抗を付与する抵抗付与部と、
前記取出口から所定距離隔てた位置で前記手術用ガーゼの引き出しを規制し得るよう構成されたガーゼストッパーと
を備えたことを特徴とする手術用ガーゼ供給装置。
【請求項４】
前記ガーゼストッパーは、前記連結用糸の通過を許容する一方で前記手術用ガーゼの通過を規制し得るような間隙を有するよう対向配置された一対のストッパー片部を有し、
前記一対のストッパー片部の少なくとも一端側が、少なくとも前記連結用糸を前記間隙に受入れ自在とする開放端とされていることを特徴とする請求項３に記載の手術用ガーゼ供給装置。
【請求項５】
前記一対のストッパー片部の間隙はスリット状であって、該ストッパー片部の前記間隙を画定する縁部の少なくとも一部がカット刃であることを特徴とする請求項４に記載の手術用ガーゼ供給装置。
【請求項６】
前記一対のストッパー片部の間隙の開放端は、テーパ状とされていることを特徴とする請求項５に記載の手術用ガーゼ。
【請求項７】
前記一対のストッパー片部の間隙はＶ字状であって、前記Ｖ字状の間隙の底端縁部の少なくとも一部がカット刃であることを特徴とする請求項４に記載の手術用ガーゼ供給装置。
【請求項８】
前記ガーゼストッパーは、ヒンジによって前記ケーシングと連結されており、該ヒンジ部を中心として前記ガーゼストッパーを回動させることにより折り畳み可能であり、前記折り畳んだ状態で前記ケーシングの形状に沿うような形状とされていることを特徴とする請求項３に記載の手術用ガーゼ供給装置。
【請求項９】
前記ケーシングは、手術台あるいは術野に固定するための固定手段をさらに有することを特徴とする請求項３に記載の手術用ガーゼ供給装置。
【請求項１０】
前記手術用ガーゼ集合体は、収容体に収容された状態で前記ケーシングに収容されており、
前記収容体は、
当該収容体を前記ケーシングに収容した状態で前記取出口と合致するよう形成された開口部と、
該開口部を塞ぐことができる閉鎖部材と、
を有することを特徴とする請求項３に記載の手術用ガーゼ供給装置。
【発明の詳細な説明】
【技術分野】
【０００１】
本発明は、外科手術の際に使用する手術用ガーゼの集合体及び該手術用ガーゼを術者に供給するための手術用ガーゼ供給装置に関するものである。
【背景技術】
【０００２】
手術用ガーゼは、従来、１枚１枚折り畳まれたものが複数枚積層されて集合体となっており、この積層されたガーゼ集合体から１枚１枚の手術用ガーゼを広げて看護士等が術者に対して供給していた。しかし、手術用ガーゼは、組織の把持や拭き取り又は止血等の目的で外科手術にて多用され、一回の手術で数十枚または数百枚の手術用ガーゼが使用される。このように、非常に多数の手術用ガーゼを使用する手術現場で、積層された手術用ガーゼ集合体から折り畳まれた手術用ガーゼを１枚１枚手に取り、術者に広げて渡す作業は、看護士等にとって負担のかかる作業であった。ここで、上記作業の煩雑性を回避し取り扱いやすくするために、手術用ガーゼを係脱自在に保持する係止部を備えたガーゼホルダーに、手術用ガーゼが係止保持されて包装された手術用ガーゼ包装体が提案されている（特許文献１参照）。
【特許文献１】特開２００１−２７８３３１号公報
【発明の開示】
【発明が解決しようとする課題】
【０００３】
しかしながら、上記ガーゼ包装体では、ガーゼホルダーに手術用ガーゼを係止保持させる構造であるために、多量の手術用ガーゼを必要とする手術では、かさばってしまい、場所を取るという問題がある。また、手術現場で使用する際には、手術用ガーゼは剥き出しの状態であり、落下細菌等に汚染されやすく衛生面で好ましくない。さらには、隣り合うガーゼを複数枚同時に取ってしまう可能性もあるなどの取り扱い上の問題がある。
【０００４】
そこで、本発明は、手術用ガーゼを使用する際の取り扱い性の向上を図ることができ、且つ小型化が可能で衛生的な手術用ガーゼ集合体及び手術用ガーゼ供給装置を提供することを課題とする。
【課題を解決するための手段】
【０００５】
上記課題を解決するため、本発明に係る手術用ガーゼは、複数の手術用ガーゼの集合体であって、前記各手術用ガーゼは、連結用糸により一方向に連結されていることを特徴とする。
【０００６】
このように、連結用糸で各手術用ガーゼを連結しているので、１つの手術用ガーゼを取り出すと、隣り合う手術用ガーゼも確実に続いてくるので、手術用ガーゼの連続取出を容易に且つ安定して行うことができる。
【０００７】
前記各手術用ガーゼは、四角形であって、前記連結用糸は、前記各手術用ガーゼの対角線上の頂点からそれぞれ延び、隣り合う前記手術用ガーゼを連結していることが好ましい。
【０００８】
このように構成することで、手術用ガーゼを対角線方向に延びた状態で取り出すことができる。このような状態で手術用ガーゼを取り出せることは、治療で細かい作業をするために、術者がガーゼのある一の頂点とその対角にある頂点とをそれぞれ持って張るようにして手術用ガーゼを使用する際に利点がある。
【０００９】
上記課題を解決するために、本発明に係る手術用ガーゼ供給装置は、上述した手術用ガーゼ集合体が収容されるケーシングと、前記ケーシングに形成され、前記ケーシングから前記各手術用ガーゼを取り出すための取出口と、前記取出口からの前記手術用ガーゼの出入に対して抵抗を付与する抵抗付与部と、前記取出口から所定距離隔てた位置で前記手術用ガーゼの引き出しを規制し得るよう構成されたガーゼストッパーとを備えたことを特徴とする。
【００１０】
このように構成することで、取出口から手術用ガーゼを容易に一枚一枚取り出すことができる。また、抵抗付与部が手術用ガーゼの出入に抵抗を付与するため、手術用ガーゼが広がった状態で取り出すことができ、また手術用ガーゼをケーシング内に没入させてしまうことがない。さらには、手術用ガーゼ集合体はケーシング内に収容されているために、剥き出しの状態と比較して、落下細菌等からの汚染を防ぎ衛生面の向上を図ることができる。
【００１１】
前記ガーゼストッパーは、前記連結用糸の通過を許容する一方で前記手術用ガーゼの通過を規制し得るような間隙を有するよう対向配置された一対のストッパー片部を有し、前記一対のストッパー片部の少なくとも一端側が少なくとも前記連結用糸を前記間隙に受入れ自在とする開放端とされているよう構成することができる。
【００１２】
ここで、前記一対のストッパー片部の間隙はスリット状であって、該ストッパー片部の前記間隙を画定する縁部の少なくとも一部がカット刃であるよう構成することができる。ここで、連結用糸を前記間隙に案内し易いよう、前記ストッパー片部は、前記開放端がテーパ状とされていることが好ましい。
【００１３】
また、前記一対のストッパー片部の間隙はＶ字状であって、前記Ｖ字状の間隙の底端縁部の少なくとも一部がカット刃であるよう構成することもできる。
【００１４】
また、前記ガーゼストッパーは、ヒンジによって前記ケーシングと連結されており、該ヒンジ部を中心として前記ガーゼストッパーを回動させることにより折り畳み可能であり、前記折り畳んだ状態で前記ケーシングの形状に沿うような形状とされていることが好ましい。これによって小型化を可能とすることができる。
【００１５】
前記ケーシングは、手術台あるいは術野に固定するための固定部をさらに有していることが好ましい。固定部で手術用ガーゼ供給装置を手術台に固定させることができるため、誤って手術用ガーゼ供給装置を落としてしまうことを防ぐことができる。
【００１６】
前記手術用ガーゼ集合体は、収容体に収容された状態で前記ケーシングに収容されており、前記収容体は、当該収容体を前記ケーシングに収容した状態で前記取出口と合致するよう形成された開口部と、該開口部を塞ぐことができる閉鎖部材と、を有することが好ましい。このように手術用ガーゼ集合体が収容体に収容されていることで、手術用ガーゼ集合体をケーシング内に補充する際の取り扱い性、迅速性の向上を図ることができる。また、手術用ガーゼを使用するまで閉鎖部材により開口部を塞ぐことで、手術用ガーゼ集合体を補充する際の利便性のためにケーシングの一部を開口していても、落下細菌による手術用ガーゼの汚染を収容体で防止することができる。
【発明の効果】
【００１７】
本発明の手術用ガーゼ集合体及び手術用ガーゼ供給装置によれば、取り扱い性よく手術用ガーゼを使用することができ、且つ手術用ガーゼ集合体の小型化が可能で衛生的とすることができる。
【発明を実施するための最良の形態】
【００１８】
以下、本発明に係る手術用ガーゼ集合体及び手術用ガーゼ供給装置の実施形態について図面を参照しつつ説明する。図１は手術用ガーゼ集合体の平面図、図２は手術用ガーゼ供給装置の斜視図、図３はガーゼストッパーの拡大図、図４は手術用ガーゼ供給装置の使用方法の説明図である。
【００１９】
図１に示すように、手術用ガーゼ集合体１０は、複数の手術用ガーゼ１の集合体であって、各手術用ガーゼ１が連結用糸２によって一方向に連結されている。ここで、各手術用ガーゼ１は四角形であり、連結用糸２が各手術用ガーゼ１の対角線上の頂点からそれぞれ延びて、隣り合う手術用ガーゼ１を連結している。なお、１本の連結用糸２で各手術用ガーゼ１の対角線上を縫って手術用ガーゼ集合体１０とすることで手術用ガーゼ集合体１０を容易に製造することができる。また、連結用糸２は、所定の力で引っ張ることで切断されるよう、各手術用ガーゼ１と連結されている。ここで、各手術用ガーゼ１の大きさや材質等は、一般に外科手術等に用いられるものとすることができ、特に限定されるものではない。
【００２０】
図２に示すように、手術用ガーゼ供給装置２０は、手術用ガーゼ集合体１０が収容されるケーシング３と、ガーゼストッパー４とを備えている。ここで手術用ガーゼ集合体１０は、紙箱等の収容体５に収容された状態で、ケーシング３に収容されている。収容体５には、手術用ガーゼ１を取り出すための開口部５ａが設けられており、当該開口部５ａは、後述するケーシング３に収容体３を収容したときに、ケーシング３の取出口６と合致する位置に設けられている。なお該開口部５ａは、手術用ガーゼ使用前は閉鎖部材５ｂにより塞がれており、使用直前に開けられるような構成となっている。すなわち使用までは手術用ガーゼ集合体１０は収容体５内に密閉されている。このように手術用ガーゼ集合体１０を収容体５に収容することで、ケーシング３内に手術用ガーゼ集合体１０を補充する場合に容易に補充することができるので、取り扱い性、迅速性等の向上を図ることができる。また、手術用ガーゼ集合体１０を補充する際の利便性からケーシング３の上部を開口した状態でも、落下細菌等からの汚染を防止し衛生面の向上を図ることもできる。さらには、開口部５ａを使用直前まで閉鎖部材５ｂで塞ぐことで、より衛生面の向上を図ることができる。なお、手術用ガーゼ集合体１０を収容体５に収容せず、直接ケーシング３内に収容するときは、前記落下細菌からの汚染を防ぐために、ケーシング３の上部は開口した状態とせずに開閉自在な蓋や扉などを設けていることが好ましい。
【００２１】
ケーシング３には、手術用ガーゼ１を取り出すための取出口６が設けられている。ここで取出口６の周縁部には、手術用ガーゼ１の出入に対して抵抗を付与するよう、抵抗付与部である、ひだ状の可撓性部材６ａが取り付けられている。ここで抵抗付与部は、取出口６の代わりに収容体５の開口部５ａに取り付けることもできる。ガーゼストッパー４は、取出口６から所定距離隔てた位置で手術用ガーゼ１の引き出しを規制し得るように構成されている。ここで「所定距離隔てた位置」とは、取出口６から引き出された手術用ガーゼ１を指で摘むことができるようなスペースが形成されるだけの距離が隔てられた位置であればよい。
【００２２】
図３にその詳細を示すように、ガーゼストッパー４は、対向配置された一対のストッパー片部４ａ、４ｂを有しており、該ストッパー片部４ａ，４ｂの間隙４ｃはスリット状となっている。また、ストッパー片部４ａ、４ｂの一端側は開放端４ｄとされており、該開放端４ｄはテーパ状となっている。ストッパー片部４ａ、４ｂの間隙４ｃは連結用糸２の通過を許容し、手術用ガーゼ１の通過を妨げるような寸法とされている。
【００２３】
次に上記構成による手術用ガーゼ集合体１０及び手術用ガーゼ供給装置２０の使用方法について、図４に基づいて説明する。
【００２４】
まず、積層された状態で収容体５に収容された上記手術用ガーゼ集合体１０をケーシング３内に収容する（図４（ａ））。なお、ケーシング３内に収容体５を収容する前に、開口部５ａを塞いでいる閉鎖部材５ｂを除去する。そして、このケーシング３内に収容された手術用ガーゼ集合体１０の先頭の手術用ガーゼ１ａを取出口６から取り出す（図４（ｂ））。ここで取出口６の可撓性部材６ａによって手術用ガーゼの出入に対して抵抗を付与しているので、手術用ガーゼ１ａを取り出す際、該取り出される手術用ガーゼ１ａに抵抗がかかり、手術用ガーゼ１ａが広がった状態で取り出される。また、先頭の手術用ガーゼ１ａを取り出した後さらに引っ張ると、次に続く手術用ガーゼ１ｂが、取出口６から一部出てくる。ここで、次に続く手術用ガーゼ１ｂが取出口６から出ようとする際に、前記抵抗が付与されるために、その抵抗力と先頭の手術用ガーゼ１ａを引っ張る力とで、該手術用ガーゼ１ａは対角線方向に延びた状態となる。
【００２５】
そして、取り出した手術用ガーゼ１ａとその次に続く手術用ガーゼ１ｂとを連結している連結用糸２を、ガーゼストッパー４の一対のストッパー片部４ａ，４ｂの間隙４ｃ内に配置する（図４（ｃ））。ここで、ストッパー片部４ａ、４ｂの一端側は開放端４ｄとされているために、連結用糸２を開放端４ｄから間隙４ｃへ受入れ自在とすることができる。また、開放端４ｄはテーパ状であるため、連結用糸２を容易に間隙４ｃ内に案内することができる。
【００２６】
以上のように、連結用糸２を間隙４ｃ内に配置して、先頭の手術用ガーゼ１ａを取出口６から離間する方向に引っ張る。すると、間隙４ｃは、連結用糸２は通るが、次に続く手術用ガーゼ１ｂは通らないような寸法とされているために、次に続く手術用ガーゼ１ｂは、ガーゼストッパー４により取出口６から離間する方向への移動を妨げられる（図４（ｄ））。この状態からさらに先頭の手術用ガーゼ１ａを取出口６から離間する方向へ引っ張ると、連結用糸２は所定の力で切断されるように各手術用ガーゼ１と連結されているために、先頭の手術用ガーゼ１ａとそれに続く手術用ガーゼ１ｂとを連結していた連結用糸２が切断し、先頭の手術用ガーゼ１ａを手術用ガーゼ集合体１０から切り離して使用することができる（図４（ｅ））。なお、上述したように、このときは、手術用ガーゼ１ａは対角線上に延びた状態で切り離されている。
【００２７】
以上のように、先頭の手術用ガーゼ１ａが切断されたことにより、次に続く手術用ガーゼ１ｂが先頭となり、次に使用される手術用ガーゼ１ｂとなる。ここで取出口６の周縁には可撓性部材６ａが設けられているために、先頭となった手術用ガーゼ１ｂは、再度ケーシング３内に没入してしまって次にガーゼを使用したいときに取出が困難となってしまうというようなことがない。
【００２８】
以上の作業をケーシング３内の手術用ガーゼ集合体１０が無くなるまで繰り返し、さらに必要で有れば収容体５に収容された新たな手術用ガーゼ集合体１０を補充することができる。
【００２９】
以上、本発明の実施形態について説明したが、本発明はこれらに限定されるものではなく、本発明の趣旨を逸脱しない限りにおいて種々の変更が可能である。
【００３０】
例えば、上記実施形態では、連結用糸２が所定の力を加えることで切断されるように各手術用ガーゼを連結していたが、図５（ａ）に示すように、ストッパー片部４ａ、４ｂの間隙を画定する縁部の少なくとも一部にカッター刃７を設けることでそのように構成する必要がなくなる。すなわち、上記実施形態では、先頭の手術用ガーゼ１ａを取出口６から離間する方向に引っ張ることで手術用ガーゼ集合体１０から切り離していたが、カッター刃７を設けることで、連結用糸２をギアカッター刃７で切断して手術用ガーゼ１ａを手術用ガーゼ集合体１０から容易に切り離すことができる。ここで、カッター刃７は、別途取り付けることもできるし、前記縁部の少なくとも一部を鋭利に形成することでカッター刃７とすることもできる。なお、図５（ｂ）に示すように、テーパ状の開放端４ｄとスリット状の間隙４ｃと比率を変えて、開放端４ｄを大きくすることもできる。
【００３１】
また、ストッパー片部４ａ、４ｂの間隙４ｃは、上記実施形態ではスリット状であったが、Ｖ字形状とすることもできる（図６参照）。この場合は、間隙４ｃの底端縁部の一部をカッター刃７とする。
【００３２】
以上のように、ストッパー片部の間隙をスリット状としてカッター刃を設けたこと、またはストッパー片部の間隙をＶ字形状として底端縁部の一部をカッター刃としたことで、カッター刃でのケガの防止をすることができる。
【００３３】
また、手術用ガーゼ供給装置２０を固定手段により手術台に固定できるよう構成してもよい。固定手段としては、ケーシング３の下部にクランプ手段を設けたり、または、ケーシング３下部に固定用リングを設け、通常、術台を覆うように配置される滅菌覆布に、公知のクリップ手段で留めることなどを挙げることができる。
【００３４】
上記実施形態では、手術用ガーゼの出入に対して抵抗を付与する抵抗付与部を可撓性部材６ａとしたが、取出口６の寸法を調整することで手術用ガーゼ１の出入に対して抵抗を付与するようにしてもよい。さらには、ストッパー片部４ａ、４ｂの間隙４ｃで連結用糸２を保持するように該間隙４ｃの幅を調整することで、手術用ガーゼの出入に抵抗を付与するよう構成してもよい。
【００３５】
また、ガーゼストッパー４は、ヒンジ８によってケーシング３と連結し、折り畳み可能とするよう構成することができる。なお、ガーゼストッパー４は、折り畳んだ状態でケーシング３の形状に沿うような形状とする（図７参照）。
【００３６】
また、上記実施形態では、ケーシング３内の手術用ガーゼ集合体１０は折り畳まれずに収容されているが、手術用ガーゼが嵩張るのを防ぐために、図８に示すように、各手術用ガーゼ１を２つ折り（図８（ａ））や４つ折り（図８（ｂ））等に折り畳む等して、ケーシング３（収容体５）内で絡まらない程度に、手術用ガーゼ集合体１０の全体の大きさを縮小させてもよい。
【００３７】
また、上記実施形態では、ケーシング３内の手術用ガーゼ集合体１０が無くなれば、新たな手術用ガーゼ集合体１０をケーシング３内に補充しているが、手術用ガーゼ集合体１０を補充するのではなく、手術用ガーゼ供給装置２０自体を取り替えてもよい。なお、この場合は、手術用ガーゼ集合体１０を補充する必要がないので、上記実施形態のようにケーシング３に開口部６以外の開口部を設ける必要がない。
【図面の簡単な説明】
【００３８】
【図１】本発明に係る手術用ガーゼ集合体の実施形態を示す平面図である。
【図２】本発明に係る手術用ガーゼ供給装置の実施形態を示す斜視図である。
【図３】図２の手術用ガーゼ供給装置のガーゼストッパーをＡ方向から見た拡大図である。
【図４】図２の手術用ガーゼ供給装置の使用方法の説明図である。
【図５】図３のガーゼストッパーの変更態様を示す図である。
【図６】図３のガーゼストッパーの変更態様を示す図である。
【図７】図２の手術用ガーゼ供給装置の変更態様を示す斜視図である。
【図８】本発明にかかる手術用ガーゼ集合体を折り畳んだ状態を示す斜視図である。
【符号の説明】
【００３９】
１  手術用ガーゼ
２  連結用糸
３  ケーシング
４  ガーゼストッパー
４ａ、４ｂ  ストッパー片部
４ｃ  間隙
４ｄ  開放端
５  収容体
５ａ  開口部
５ｂ  閉鎖部材
６  取出口
６ａ  抵抗付与部
７  カッター刃
８  ヒンジ
１０  手術用ガーゼ集合体
２０  手術用ガーゼ供給装置
【図１】
2009083855.tif 000003
【図２】
2009083855.tif 000004
【図３】
2009083855.tif 000005
【図４】
2009083855.tif 000006
【図５】
2009083855.tif 000007
【図６】
2009083855.tif 000008
【図７】
2009083855.tif 000009
【図８】
2009083855.tif 000010